(57)【要約】  画像出力装置（１）は、３次元画像データに係る左目用画像データ及び右目用画像データを夫々デコードして、第１及び第２画像信号を出力する第１デコード手段（２１）及び第２デコード手段（２２）と、２次元画像データをデコードして第３画像信号を出力する第３デコード手段（２１）と、３次元画像が出力される際に第１及び第２画像信号を所定間隔で交互に選択し、２次元画像が出力される際に第３画像信号を選択するスイッチ手段（２３、２４、ＳＷ１）と、２次元画像が出力される際に、第３画像信号に係るフレーム周波数及び解像度と、第１及び第２画像信号の各々に係るフレーム周波数及び解像度とが一致するように、第３画像信号を補間する補間手段（２６）と、３次元画像が出力される際に第１及び第２画像信号を出力信号として出力し、２次元画像が出力される際に補間された第３画像信号を出力信号として出力する出力手段（２７）とを備える。
2011074070.tif 000002
【特許請求の範囲】
【請求項１】
左目用画像データ及び右目用画像データを含んでなる３次元画像データに対応する３次元画像と、２次元画像データに対応する２次元画像とを相互に切り替えて出力可能な画像出力装置であって、
前記左目用画像データ及び前記右目用画像データの一方の画像データをデコードして、前記一方の画像データに対応する第１画像信号を出力する第１デコード手段と、
前記左目用画像データ及び前記右目用画像データの他方の画像データをデコードして、前記他方の画像データに対応する第２画像信号を出力する第２デコード手段と、
前記２次元画像データをデコードして、前記２次元画像データに対応する第３画像信号を出力する第３デコード手段と、
前記３次元画像が出力される際に、前記第１画像信号及び前記第２画像信号を、所定間隔で交互に選択し、前記２次元画像が出力される際に、前記第３画像信号を選択するスイッチ手段と、
前記２次元画像が出力される際に、前記第３画像信号に係るフレーム周波数及び解像度と、前記第１画像信号及び前記第２画像信号の各々に係るフレーム周波数及び解像度とが一致するように、前記第３画像信号を補間する補間手段と、
前記３次元画像が出力される際に、前記第１画像信号及び前記第２画像信号を出力信号として出力し、前記２次元画像が出力される際に、前記補間された第３画像信号を前記出力信号として出力する出力手段と
を備えることを特徴とする画像出力装置。
【請求項２】
前記補間手段は、前記第３画像信号に対してフレーム周波数変換を施すことによって、前記第３画像信号を補間することを特徴とする請求項１に記載の画像出力装置。
【請求項３】
前記補間手段は、前記第３画像信号に対して演算処理を施し、疑似的な３次元画像に係る画像信号を生成することによって、前記第３画像信号を補間することを特徴とする請求項１に記載の画像出力装置。
【請求項４】
前記第１デコーダ手段及び前記第３デコーダ手段として機能する第１デコーダ装置と、
前記第２デコーダ手段として機能する第２デコーダ装置と
を更に備えることを特徴とする請求項１に記載の画像出力装置。
【請求項５】
前記出力手段は、ＨＤＭＩインターフェイスであることを特徴とする請求項１に記載の画像出力装置。
【発明の詳細な説明】
【技術分野】
【０００１】
本発明は、例えば２次元画像及び３次元画像等のように表示仕様が相互に異なる画像を、相互に切り替える画像出力装置の技術分野に関する。
【背景技術】
【０００２】
この種の装置では、例えば一の表示仕様の画像から他の表示仕様の画像へ切り替える際に、ユーザに、乱れた画像や音声を提供しないようにすることが図られる。例えば特許文献１には、固定用に用いる一の表示仕様である固定表示仕様（例えば１９２０×１０８０ｐ）と、出力対象の画像データの表示仕様（例えば７２０×４８０ｐ／４：３）とが一致せず、且つ出力対象の画像データの表示仕様を固定表示仕様に一致するように変換できない場合、合成処理を含む所定の処理を行って、出力対象の画像データに応じた画像を含み固定表示仕様に合致した画像データを形成する装置が記載されている。
【先行技術文献】
【特許文献】
【０００３】
【特許文献１】特開２００８−２５８６９８号公報
【発明の概要】
【発明が解決しようとする課題】
【０００４】
しかしながら、特許文献１には、２次元画像と３次元画像とを相互に切り替える際の技術については開示されていない。すると、２次元画像と３次元画像とを相互に切り替える際に、画像や音声が乱れる可能性があるという技術的問題点がある。【０００５】
本発明は、例えば上記問題点に鑑みてなされたものであり、画像や音声を乱すことなく、２次元画像と３次元画像とを相互に切り替えることができる画像出力装置を提供することを課題とする。
【課題を解決するための手段】
【０００６】
上記課題を解決するために、本発明の画像出力装置は、左目用画像データ及び右目用画像データを含んでなる３次元画像データに対応する３次元画像と、２次元画像データに対応する２次元画像とを相互に切り替えて出力可能な画像出力装置であって、前記左目用画像データ及び前記右目用画像データの一方の画像データをデコードして、前記一方の画像データに対応する第１画像信号を出力する第１デコード手段と、前記左目用画像データ及び前記右目用画像データの他方の画像データをデコードして、前記他方の画像データに対応する第２画像信号を出力する第２デコード手段と、前記２次元画像データをデコードして、前記２次元画像データに対応する第３画像信号を出力する第３デコード手段と、前記３次元画像が出力される際に、前記第１画像信号及び前記第２画像信号を、所定間隔で交互に選択し、前記２次元画像が出力される際に、前記第３画像信号を選択するスイッチ手段と、前記２次元画像が出力される際に、前記第３画像信号に係るフレーム周波数及び解像度と、前記第１画像信号及び前記第２画像信号の各々に係るフレーム周波数及び解像度とが一致するように、前記第３画像信号を補間する補間手段と、前記３次元画像が出力される際に、前記第１画像信号及び前記第２画像信号を出力信号として出力し、前記２次元画像が出力される際に、前記補間された第３画像信号を前記出力信号として出力する出力手段とを備える。【０００７】
本発明の画像出力装置によれば、当該画像出力装置は、左目用画像データ及び右目用画像データを含んでなる３次元画像データに対応する３次元画像と、２次元画像データに対応する２次元画像とを相互に切り替えて出力可能である。【０００８】
例えばメモリ、プロセッサ等を備えてなる第１デコード手段は、左目用画像データ及び右目用画像データの一方の画像データをデコードして、該一方の画像データに対応する第１画像信号を出力する。【０００９】
例えばメモリ、プロセッサ等を備えてなる第２デコード手段は、左目用画像データ及び右目用画像データの他方の画像データをデコードして、該他方の画像データに対応する第２画像信号を出力する。【００１０】
例えばメモリ、プロセッサ等を備えてなる第３デコード手段は、２次元画像データをデコードして、該２次元画像データに対応する第３画像信号を出力する。【００１１】
スイッチ手段は、３次元画像が出力される際に、第１画像信号及び第２画像信号を、所定間隔で交互に選択し、２次元画像が出力される際に、第３画像信号を選択する。【００１２】
３次元画像が出力される際に、スイッチ手段により、第１画像信号及び第２画像信号を、所定間隔で交互に選択されるため、ディスプレイ上には、左目用画像と右目用画像とが交互に表示されることとなる。尚、「所定間隔」は、例えば１／１２０秒等であり、ユーザが３次元画像として認識可能な間隔に設定すればよい。【００１３】
例えばメモリ、プロセッサ等を備えてなる補間手段は、２次元画像が出力される際に、第３画像信号に係るフレーム周波数及び解像度と、第１画像信号及び第２画像信号の各々に係るフレーム周波数及び解像度とが一致するように、第３画像信号を補間する。【００１４】
具体的には例えば、補間手段は、第１画像信号及び第２画像信号の各々に係るフレーム周波数及び解像度が、例えば１２０Ｈｚ、１９２０×１０８０等である場合に、第３画像信号に係るフレーム周波数及び解像度が、１２０Ｈｚ、１９２０×１０８０になるように、第３画像信号を補間する。【００１５】
ここで、フレーム周波数の変更は、例えば第３画像信号に対してフレーム周波数変換を施すことにより行えばよい。或いは、例えば第３画像信号に対して演算処理を施し、疑似的な３次元画像に係る画像信号を生成することにより行えばよい。【００１６】
ここで、「疑似的な３次元画像」とは、２次元画像でありながら、３次元画像に近い立体感を得ることができる画像を意味する。このような「疑似的な３次元画像」は、例えば、第３画像信号に対応するオリジナルの画像と、該オリジナルの画像との間で、大なり小なり両眼視差の効果を生じるような画像と、が交互に配列されることによって生成される。【００１７】
尚、フレーム周波数変換には、公知のフレーム周波数変換技術を適用すればよい。また、解像度の変更には、公知の解像度変換技術を適用すればよい。【００１８】
３次元画像及び２次元画像を出力可能な出力手段は、３次元画像が出力される際に、第１画像信号及び第２画像信号を出力信号として出力し、２次元画像が出力される際に、補間された第３画像信号を出力信号として出力する。【００１９】
本願発明者の研究によれば、次の事項が判明している。即ち、２次元画像で構成された映像が出力される際には、該２次元画像に係るフレーム画像は、一般的には、６０ｆｐｓ（ｆｒａｍｅ  ｐｅｒ  ｓｅｃｏｎｄ）で出力される。他方、３次元画像で構成された映像が出力される際には、該３次元画像に係る左目用画像及び右目用画像は、例えば１２０ｆｐｓで交互に出力される。【００２０】
ここで、６０ｆｐｓで２次元画像で構成された映像が出力される場合と、１２０ｆｐｓで３次元画像で構成された映像が出力される場合とでは、同期信号が相互に異なる。すると、出力手段によっては、２次元画像で構成された映像と３次元画像で構成された映像とを相互に切り替える遷移時に、フレーム周波数又は解像度の変化に起因して、同期信号のリセットが発生する。この結果、遷移時に、例えば黒画面等が数百ｍｓ（ミリ秒）から数秒出力されると共に、音声が途切れる可能性がある。【００２１】
特に、Ｂｌｕ−Ｒａｙディスクの場合、一つのディスク内に、例えば３次元画像で構成された本編映像と、２次元画像で構成された特典映像とが混在する可能性がある。加えて、３次元画像で構成された映像の出力と、２次元画像で構成された映像の出力とは、Ｂｌｕ−Ｒａｙディスクを再生するための制御コマンドによっても制御可能であり、３次元画像で構成された映像の出力と、２次元画像で構成された映像の出力とが動的に切り替えられる可能性がある。この結果、Ｂｌｕ−Ｒａｙディスクの再生時には、比較的頻繁に同期信号のリセットが発生する可能性がある。【００２２】
しかるに本発明では、補間手段により、２次元画像が出力される際に、第３画像信号に係るフレーム周波数及び解像度と、第１画像信号及び第２画像信号の各々に係るフレーム周波数及び解像度とが一致するように、第３画像信号が補間される。このため、２次元画像で構成された映像と３次元画像で構成された映像とを相互に切り替える遷移時に、フレーム周波数及び解像度に変更は生じない。従って、遷移時に同期信号のリセットが発生しないので、画像や音声が乱れることはない。【００２３】
以上の結果、本発明の画像出力装置によれば、画像や音声を乱すことなく、２次元画像と３次元画像とを相互に切り替えることができる。【００２４】
本発明の画像出力装置の一態様では、前記補間手段は、前記第３画像信号に対してフレーム周波数変換を施すことによって、前記第３画像信号を補間する。【００２５】
この態様によれば、比較的容易にして、第３画像信号に係るフレーム周波数を、第１画像信号及び第２画像信号の各々に係る３次元画像のフレーム周波数と一致させることができ、実用上非常に有利である。【００２６】
或いは、本発明の画像出力装置の他の態様では、前記補間手段は、前記第３画像信号に対して演算処理を施し、疑似的な３次元画像に係る画像信号を生成することによって、前記第３画像信号を補間する。【００２７】
この態様によれば、補間手段により、第３画像信号に対して演算処理が施され、疑似的な３次元画像に係る画像信号が生成される。具体的には例えば、補間手段により、第３画像信号に対応する一の画像に対して演算処理が施され、疑似的な３次元画像の一部を構成する画像である補間用画像が生成される。この結果、補間された第３画像信号（即ち、生成された疑似的な３次元画像に係る画像信号）は、一の画像（即ち、オリジナルの画像）と補間用画像とを含んで構成されることとなる。【００２８】
そして、オリジナルの画像と補間用画像とが交互に出力されるようにすれば、比較的容易にして、フレーム周波数を、第１画像信号及び第２画像信号の各々に係る３次元画像のフレーム周波数と一致させることができる。尚、オリジナルの画像は、疑似的な３次元画像の他の部分を構成する。【００２９】
補間用画像は、疑似的な３次元画像の一部を構成する画像であるため、オリジナルの画像と補間用画像とが交互に出力されることにより、ユーザに３次元画像に近い立体感を与えることができる。この結果、ユーザが、当該画像出力装置から出力された出力信号に係る画像を、例えば３次元対応ディスプレイ等で見ている際に、３次元画像と２次元画像とが相互に切り替えられた場合に生じる違和感を低減することができる。【００３０】
尚、補間用画像は、オリジナルの２次元画像に演算処理を施すことによって、オリジナルの画像と補間用画像との間に両眼視差の効果が生じるような画像として生成すればよい。具体的には例えば、補間用画像は、オリジナルの２次元画像を所定のオフセット値の分だけずらすことによって生成すればよい。【００３１】
「所定のオフセット値の分だけずらす」とは、オリジナルの２次元画像内に表わされている物の、該オリジナルの２次元画像における座標を所定のオフセット値の分だけずらすことを意味する。尚、所定のオフセット値は、画像出力装置毎に適宜設定すればよい。【００３２】
本発明の画像出力装置の他の態様では、前記第１デコーダ手段及び前記第３デコーダ手段として機能する第１デコーダ装置と、前記第２デコーダ手段として機能する第２デコーダ装置とを更に備える。【００３３】
この態様によれば、第１デコーダ装置が第１デコード手段と第３デコード手段との機能を有しているので、当該画像出力装置を構成する部品点数を低減することができる。この結果、当該画像出力装置の小型化やコストダウンを図ることができ、実用上非常に有利である。【００３４】
本発明の画像出力装置の他の態様では、前記出力手段は、ＨＤＭＩインターフェイスである。【００３５】
この態様によれば、出力手段がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に準拠しているので、比較的高画質の画像を出力することができ、実用上非常に有利である。【００３６】
本発明の作用及び他の利得は次に説明する実施するための形態から明らかにされる。
【図面の簡単な説明】
【００３７】
【図１】本発明の実施形態に係る画像再生装置の構成を示すブロック図である。
【図２】同期信号の一例を示す概念図である。
【図３】本発明の実施形態に係る映像補間回路における補間処理の一例を示す概念図である。
【図４】本発明の実施形態の変形例に係る映像補間回路における補間処理の一例を示す概念図である。
【発明を実施するための形態】
【００３８】
以下、本発明に係る画像出力装置の実施形態を、図１乃至図３に基づいて説明する。
【００３９】
先ず、本実施形態に係る画像出力装置の構成について、図１を参照して説明する。図１は、本実施形態に係る画像出力装置の構成を示すブロック図である。尚、図中の矢線は、信号の流れを表わしている。
【００４０】
図１において、画像出力装置１は、ディスクドライブ（Ｄｉｓｃ  Ｄｒｉｖｅ）１１、復調部１２、ＢＵＤＡ（Ｂｉｎｄｉｎｇ  Ｕｎｉｔ  Ｄａｔａ  Ａｒｅａ）１３、パケット（Ｐａｃｋｅｔ）分離部１４、再生制御部１５、第１デコーダ装置２１、第２デコーダ装置２２、映像切替器２３、スイッチ（ＳＷ）２４、映像混合器２５、映像補間回路２６、映像出力器２７、グラフィック（Ｇｒａｐｈｉｃｓ）処理部３１、解像度変換回路３２及び３４、字幕処理部３３、オーディオデコーダブロック（Ａｕｄｉｏ  Ｄｅｃｏｄｅｒ  Ｂｌｏｃｋ  ＃１）４１、ゲイン（Ｇａｉｎ）調整部４２及び４４、オーディオデコーダブロック（Ａｕｄｉｏ  Ｄｅｃｏｄｅｒ  Ｂｌｏｃｋ  ＃２）４３、オーディオ（Ａｕｄｉｏ）混合器４５、並びにオーディオ（Ａｕｄｉｏ）出力器４６を備えて構成されている。
【００４１】
第１デコーダ装置２１は、ビデオデコーダブロック（Ｖｉｄｅｏ  Ｄｅｃｏｒｄｅｒ  Ｂｌｏｃｋ  ＃１）２１１、周波数変換回路２１２及び解像度変換回路２１３を備えて構成されている。
【００４２】
第２デコーダ装置２２は、ビデオデコーダブロック（Ｖｉｄｅｏ  Ｄｅｃｏｒｄｅｒ  Ｂｌｏｃｋ  ＃２）２２１、周波数変換回路２２２及び解像度変換回路２２３を備えて構成されている。
【００４３】
ディスクドライブ１１から出力された信号は、復調部１２に入力され、該復調部１２により復調された後、パケット分離部１４及び再生制御部１５に送信される。また、Ｂｌｕ−Ｒａｙ  ディスク以外のデータ（例えばハードディスクやＵＳＢメモリ、ネットワーク上のデータ）を格納するための領域であるＢＵＤＡ１３から出力された信号はパケット分離部１４に入力される。
【００４４】
パケット分離部１４から出力された信号は、ビデオデコーダブロック２１１及び２２１、グラフィック処理部３１、字幕処理部３３、並びにオーディオデコーダブロック４１及び４３の各々に入力される。
【００４５】
他方、再生制御部１５から出力された制御信号は、解像度変換回路３２、３４、２１３及び２２３、ゲイン調整部４２及び４４、並びに周波数変換回路２１２及び２２２の各々に入力される。
【００４６】
グラフィック処理部３１から出力された信号は、解像度変換回路３２を介して、映像混合器２５に入力される。字幕処理部３３から出力された信号は、解像度変換回路３４を介して、映像混合器２５に入力される。
【００４７】
オーディオデコーダブロック４１から出力された信号は、ゲイン調整部４２を介して、オーディオ混合器４５に入力される。オーディオデコーダブロック４３から出力された信号は、ゲイン調整部４２を介して、オーディオ混合器４５に入力される。オーディオ混合器４５から出力された信号は、オーディオ出力器４６に入力される。
【００４８】
パケット分離部１４から出力された信号が３次元画像で構成された３次元映像（以降、適宜“３Ｄ映像”と称する）に係る信号である場合、ビデオデコーダブロック２１１は、本発明に係る「左目用画像データ」の一例としての、３Ｄ映像の左目用の映像に係る信号をデコードして、本発明に係る「第１画像信号」の一例としての、デコードされた左目用の映像に係る信号を出力する。他方、ビデオデコーダブロック２２１は、本発明に係る「右目用画像データ」の一例としての、３Ｄ映像の右目用の映像に係る信号をデコードして、本発明に係る「第２画像信号」の一例としての、デコードされた右目用の映像に係る信号を出力する。
【００４９】
尚、パケット分離部１４から出力された信号が３Ｄ映像に係る信号である場合、スイッチＳＷ１はオフ状態（即ち、スイッチＳＷ１が開いている状態）となる。また、本実施形態に係る「３Ｄ映像に係る信号」は、本発明に係る「３次元画像データ」の一例である。
【００５０】
ビデオデコーダブロック２１１から出力されたデコードされた左目用の映像に係る信号は、周波数変換回路２１２及び解像度変換回路２１３を介して、映像切替器２３に入力される。他方、ビデオデコーダブロック２２１から出力されたデコードされた右目用の映像に係る信号は、周波数変換回路２２２及び解像度変換回路２２３を介して、映像切替器２３に入力される。
【００５１】
映像切替器２３は、デコードされた左目用の映像に係る信号（即ち、ビデオデコーダブロック２１１から出力された信号）と、デコードされた右目用の映像に係る信号（即ち、ビデオデコーダブロック２２１から出力された信号）とを、所定間隔で交互に出力する。具体的には例えば、ビデオデコーダブロック２１１及び２２１の各々から出力された信号のフレームレートが６０ｆｐｓである場合、デコードされた左目用の映像に係る信号とデコードされた右目用の映像に係る信号とが交互に出力されるため、映像切替器２３から出力される信号のフレームレートは１２０ｆｐｓとなる。
【００５２】
映像切替器２３から出力された信号は、スイッチ２４を介して、映像混合器２５に入力される。映像混合器２５において、スイッチ２４から出力された信号、グラフィック処理部３１から出力された信号、及び字幕処理部３３から出力された信号が混合され、該混合された信号が、映像補間回路２６を介さずに、例えばＨＤＭＩインターフェイス等である映像出力器２７に送信される。
【００５３】
パケット分離部１４から出力された信号が２次元画像で構成された２次元映像（以降、適宜“２Ｄ映像”と称する）に係る信号である場合、ビデオデータデコーダブロック２１１は、２Ｄ映像の主映像に係る信号をデコードして、本発明に係る「第３画像信号」の一例としての、デコードされた主映像に係る信号を出力する。他方、ビデオデコーダブロック２１２は、２Ｄ映像の副映像に係る信号をデコードして、デコードされた副映像に係る信号を出力する。
【００５４】
尚、パケット分離部１４から出力された信号が２Ｄ映像に係る信号である場合、スイッチＳＷ１はオン状態（即ち、スイッチＳＷ１が閉じている状態）となる。また、本実施形態に係る「２Ｄ映像に係る信号」は、本発明に係る「２次元画像データ」の一例である。
【００５５】
ビデオデコードブロック２１１から出力されたデコードされた主映像に係る信号は、周波数変換回路２１２及び解像度変換回路２１３を介し、映像切替器２３を介さずに、スイッチ２４に入力され、該スイッチ２４から出力された信号は、映像混合器２５に入力される。他方、ビデオデコードブロック２２１から出力されたデコードされた副映像に係る信号は、周波数変換回路２２２及び解像度変換回路２２３を介して、映像混合器２５に入力される。
【００５６】
映像混合器２５において、スイッチ２４から出力された信号（即ち、ビデオデコーダブロック２１１から出力された信号）、ビデオデコーダブロック２２１から出力された信号、グラフィック処理部３１から出力された信号、及び字幕処理部３３から出力された信号が混合され、該混合された信号が、映像補間回路２６に送信される。
【００５７】
映像補間回路２６では、映像混合器２５により混合された信号に対し、本発明に係る「演算処理」の一例としての、疑似的な３次元処理が施され、本発明に係る「補間された第３画像信号」の一例としての、疑似的な３次元処理を施された信号が、映像出力器２７に送信される。
【００５８】
本実施形態に係る「ビデオデコーダブロック２１１」は、本発明に係る「第１デコーダ手段」及び「第３デコーダ手段」の一例である。本実施形態に係る「ビデオデコーダブロック２２１」、「映像補間回路２６」及び「映像出力器２７」は、夫々、本発明に係る「第２デコーダ手段」、「補間手段」及び「出力手段」の一例である。本実施形態に係る「映像切替器２３」、「スイッチ２４」及び「スイッチＳＷ１」は、本発明に係る「スイッチ手段」の一例である。
【００５９】
次に、本実施形態に係る疑似的な３次元処理について、図２及び図３を参照して説明する。
【００６０】
上述の如く、３Ｄ映像の場合、映像切替器２３には、左目用の映像に係る信号及び右目用の映像に係る信号が入力されるため、映像切替器２３は、左目用の映像に係る信号及び右目用の映像に係る信号を所定間隔で交互に出力する。このため、例えば、左目用の映像に係る信号及び右目用の映像に係る信号の各々のフレームレートが６０ｆｐｓである場合、映像切替器２３から出力される信号のフレームレートは１２０ｆｐｓとなる。
【００６１】
他方、２Ｄ映像の場合、主映像に係る信号は、映像切替器２３を介さずに、映像混合器２５に入力される。このため、主映像に係る信号のフレームレート（例えば、６０ｆｐｓ）は変更されない。
【００６２】
すると、何らの対策も講じなければ、図２に示すように、２Ｄ映像を出力する場合のビデオの同期信号（図２（ａ）参照）と、３Ｄ映像を出力する場合のビデオの同期信号（図２（ｂ）参照）とが相互に異なってしまう。尚、図２は、同期信号の一例を示す概念図である。
【００６３】
本願発明者の研究によれば、ＨＤＭＩインターフェイスでは、その特性上、解像度又はフレーム周波数等が変化する遷移時（例えば、３Ｄ映像から２Ｄ映像に切り替わる時等）に、同期信号のリセットが発生することが判明している。この結果、遷移時に、例えば黒画面等が数百ｍｓから数秒出力されると共に、音声が途切れる可能性がある。
【００６４】
しかるに本実施形態では、映像補間回路２６において、２Ｄ映像に係る信号に対応する一のフレーム画像に対して演算処理が施され、疑似的な３次元画像の一部を構成する画像である補間用画像が生成される。ここで、補間用画像は、一のフレーム画像との間に両眼視差の効果が生じるような画像として生成される。尚、このような補間用画像は、例えば、一のフレーム画像を所定のオフセット値の分だけずらすことによって生成すればよい。
【００６５】
そして、映像補間回路２６は、一のフレーム画像に係る信号と補間用画像に係る信号とを所定間隔で交互に出力する。このため、例えば、映像補間回路２６に入力される２Ｄ映像に係る信号のフレームレートが６０ｆｐｓである場合（図３（ａ）参照）、映像補間回路２６から出力される信号のフレームレートは１２０ｆｐｓとなる（図３（ｂ）参照）。尚、図３は、本実施形態に係る映像補間回路における補間処理の一例を示す概念図である。
【００６６】
この結果、映像補間回路２６から出力された２Ｄ映像を出力する場合のビデオの同期信号は、３Ｄ映像を出力する場合のビデオの同期信号（図２（ｂ）参照）と一致することとなる。従って、遷移時に同期信号のリセットが発生しないので、画像や音声が乱れることはない。
【００６７】
ユーザが特殊な光学特性を持ったレンズは裸眼よる両眼視差を利用して、３Ｄ映像を表示する３次元映像装置で、３Ｄ映像を観賞している際に、３Ｄ映像から２Ｄ映像に切り替わると、映像の奥行きが急激に変化する可能性がある。しかるに本実施形態では、オリジナルの画像と補間用画像との間に両眼視差の効果が生じるように、補間用画像が生成されるので、３Ｄ映像から２Ｄ映像に切り替わったとしても、映像の奥行きの変化を抑制することができる。
【００６８】
尚、本実施形態では、２Ｄ映像の主映像に係る信号と３Ｄ映像の左目用の映像に係る信号とを同一のビデオデコーダブロックでデコードしているが、２Ｄ映像に係る信号をデコードするビデオデコーダブロックと、３Ｄ映像に係る信号をデコードするビデオデコーダブロックとが別々に設けられていてもよい。
【００６９】
＜変形例＞
次に、本実施形態に係る画像出力装置の変形例について、図４を参照して説明する。
【００７０】
本変形例に係る画像出力装置では、パケット分離部１４から出力された信号が２Ｄ映像に係る信号である場合、映像補間回路２６において、映像混合器２５により混合された信号に対しフレームレート変換処理が施され、本発明に係る「補間された第３画像信号」の他の例としての、フレームレート変換処理を施された信号が、映像出力器２７に送信される。
【００７１】
具体的には、２Ｄ映像に係る信号に対応するフレーム画像の各々が、映像補間回路２６により２回ずつ出力される。
【００７２】
このため、例えば、映像補間回路２６に入力される２Ｄ映像に係る信号のフレームレートが６０ｆｐｓである場合（図４（ａ）参照）、映像補間回路２６から出力される信号のフレームレートは１２０ｆｐｓとなる（図４（ｂ）参照）。尚、図４は、本実施形態の変形例に係る映像補間回路における補間処理の一例を示す概念図である。
【００７３】
この結果、映像補間回路２６から出力された２Ｄ映像を出力する場合のビデオの同期信号は、３Ｄ映像を出力する場合のビデオの同期信号（図２（ｂ）参照）と一致することとなる。従って、遷移時に同期信号のリセットが発生しないので、画像や音声が乱れることはない。
【００７４】
本発明は、上述した実施形態に限られるものではなく、請求の範囲及び明細書全体から読み取れる発明の要旨或いは思想に反しない範囲で適宜変更可能であり、そのような変更を伴う画像出力装置もまた本発明の技術的範囲に含まれるものである。
【符号の説明】
【００７５】
１…画像出力装置、２１…第１デコーダ装置、２２…第２デコーダ装置、２３…映像切替器、２４、ＳＷ１…スイッチ、２５…映像混合器、２６…映像補間回路、２７…映像出力器、２１１、２２１…ビデオデコーダブロック、２１２、２２２…周波数変換回路、２１３、２２３…解像度変換回路
【図１】
2011074070.tif 000003
【図２】
2011074070.tif 000004
【図３】
2011074070.tif 000005
【図４】
2011074070.tif 000006
【国際調査報告】
2011074070.tif 000007
2011074070.tif 000008
2011074070.tif 000009
2011074070.tif 000010